(57)【要約】  発着信検出部（３１）は、他の携帯端末との間で生じた電話の発着信を検出する。情報取得部（３２）は、検出部による発着信の検出に応じて、発着信にかかわる付随情報を取得する。発着信履歴作成部（３３）は、情報取得部（３２）が取得した付随情報と、少なくとも発着信した電話番号とを関連付けた履歴情報を作成する。発着信履歴記憶部（３４）は、履歴作成部（３３）で作成された履歴情報を記憶する。発着信履歴通知部（３５）は、発着信履歴記憶部（３４）に記憶されている履歴情報の電話番号への発信又は電話番号からの着信に応じて、履歴情報に関連付けられた付随情報を利用者に通知する。【選択図】  図３
2007529159.tif 000002
【特許請求の範囲】
【請求項１】
通信機能を備えた携帯端末であって、
電話の発着信を検出する検出部と、
前記検出部による発着信の検出に応じて、発着信にかかわる付随情報を取得する情報取得部と、
前記情報取得部が取得した付随情報と、少なくとも発着信した電話番号とを関連付けた履歴情報を作成する履歴作成部と、
前記履歴作成部で作成された履歴情報を記憶する履歴記憶部と、
前記履歴記憶部に記憶されている履歴情報の電話番号へ／からの発着信に応じて、当該履歴情報に関連付けられた前記付随情報を利用者に通知する履歴通知部とを備える、携帯端末。
【請求項２】
携帯端末の周囲状況又は状態に関する環境情報を入手可能なデバイス部をさらに備え、
前記情報取得部は、発着信時に前記デバイス部から入手された環境情報を、前記付随情報として取得し、
前記履歴記憶部は、前記情報取得部が取得した環境情報を、発着信した電話番号と関連付けて記憶することを特徴とする、請求項１に記載の携帯端末。
【請求項３】
複数の応答メッセージを格納するメッセージ格納部をさらに備え、
前記情報取得部は、着信時に代替応答された応答メッセージを、前記付随情報として前記メッセージ格納部から取得し、
前記履歴記憶部は、前記情報取得部が取得した応答メッセージを、着信した電話番号と関連付けて記憶することを特徴とする、請求項１に記載の携帯端末。
【請求項４】
前記環境情報は、携帯端末の周囲状況を捉えた静止画情報、動画情報、音声情報、携帯端末の状態を与える位置情報、視聴番組情報、又は開閉状態情報の少なくとも１つであることを特徴とする、請求項２に記載の携帯端末。
【請求項５】
前記履歴記憶部は、履歴情報の電話番号にリダイアルされたか否かを示す情報をさらに記憶しており、
前記履歴通知部は、電話の発着信時、リダイアルされていない電話番号の履歴情報のみについて前記応答メッセージを利用者に通知することを特徴とする、請求項３に記載の携帯端末。
【請求項６】
前記メッセージ格納部には、前記応答メッセージに関連してアラームを通知する時刻を特定するアラーム情報が格納されており、
前記履歴通知部は、前記アラーム情報で特定された通知時刻に達した履歴情報の前記応答メッセージを利用者に通知することを特徴とする、請求項３に記載の携帯端末。
【請求項７】
前記メッセージ格納部には、前記応答メッセージに関連してアラームを通知する時刻を特定するアラーム情報が格納されており、
前記履歴通知部は、リダイアルされていない電話番号、かつ、前記アラーム情報で特定された通知時刻に達した履歴情報の前記応答メッセージを利用者に通知することを特徴とする、請求項５に記載の携帯端末。
【請求項８】
前記履歴記憶部に記憶される履歴情報が所定の最大数を超える場合、リダイアルされた電話番号で発着信時刻が最も古い履歴情報を、自動的に削除することを特徴とする、請求項５に記載の携帯端末。
【請求項９】
リダイアルされていない電話番号に対応する履歴情報が削除対象となった場合、利用者に削除確認のメッセージを出力することを特徴とする、請求項５に記載の携帯端末。
【請求項１０】
携帯端末における通信履歴を管理する発着信履歴管理方法であって、
他の携帯端末との間で生じた電話の発着信を検出するステップと、
発着信の検出に応じて、発着信にかかわる付随情報を取得するステップと、
前記付随情報と少なくとも発着信した電話番号とを関連付けた履歴情報を作成するステップと、
前記作成された履歴情報を記憶するステップと、
前記記憶された履歴情報の電話番号へ／からの発着信に応じて、当該履歴情報に関連付けられた前記付随情報を利用者に通知するステップとを備える、発着信履歴管理方法。
【請求項１１】
携帯端末における通信履歴を管理する発着信履歴管理方法を、携帯端末に実行させるためのコンピュータ読み取り可能なプログラムであって、
前記プログラムは、前記携帯端末に、
他の携帯端末との間で生じた電話の発着信を検出するステップと、
発着信の検出に応じて、発着信にかかわる付随情報を取得するステップと、
前記付随情報と少なくとも発着信した電話番号とを関連付けた履歴情報を作成するステップと、
前記作成された履歴情報を記憶するステップと、
前記記憶された履歴情報の電話番号へ／からの発着信に応じて、当該履歴情報に関連付けられた前記付随情報を利用者に通知するステップとを実行させる。
【請求項１２】
電話の発着信履歴を管理する発着信履歴管理方法を、携帯端末に実行させるためのコンピュータ読み取り可能なプログラムを記録した媒体であって、
前記プログラムは、前記携帯端末に、
他の携帯端末との間で生じた電話の発着信を検出するステップと、
発着信の検出に応じて、発着信にかかわる付随情報を取得するステップと、
前記付随情報と少なくとも発着信した電話番号とを関連付けた履歴情報を作成するステップと、
前記作成された履歴情報を記憶するステップと、
前記記憶された履歴情報の電話番号へ／からの発着信に応じて、当該履歴情報に関連付けられた前記付随情報を利用者に通知するステップとを実行させる。
【請求項１３】
通信機能を備えた携帯端末に用いられる集積回路であって、
前記集積回路は、
電話の発着信を検出する検出部、
前記検出部による発着信の検出に応じて、発着信にかかわる付随情報を取得する情報取得部、
前記情報取得部が取得した付随情報と、少なくとも発着信した電話番号とを関連付けた履歴情報を作成する履歴作成部、
前記履歴作成部で作成された履歴情報を記憶する履歴記憶部、及び
前記履歴記憶部に記憶されている履歴情報の電話番号へ／からの発着信に応じて、当該履歴情報に関連付けられた前記付随情報を利用者に通知する履歴通知部として機能する回路を、集積している。
【発明の詳細な説明】
【技術分野】
【０００１】
本発明は、携帯端末及び発着信履歴管理方法に関し、より特定的には、相手側端末の電話番号を発着信時刻と共に記憶する機能を有する携帯端末、その発着信履歴を管理する方法、その方法を実行するためのコンピュータ読み取り可能なプログラム及びプログラム記録媒体に関する。
【背景技術】
【０００２】
近年の電話技術の普及に伴い、無線の携帯電話や有線の電話機にも多種多様な機能が付加されてきた。例えば、受信者が即座に着信応答できない場合の機能として、以下のものが実用化されている。会議中や電車内等の周囲の状況から声を出して応答できない場合に、予め登録された音声メッセージによって周囲に迷惑をかけずに応答するという機能である。また、着信側端末において発信者毎の応答又は呼出方法を予め任意に設定しておき、設定された発信者との回線接続時にその設定内容の応答又は呼出方法で対応するという機能である。
【発明の開示】
【発明が解決しようとする課題】
【０００３】
しかしながら、上述した機能をはじめ従来の技術では、電話着信時に応答したメッセージを発信側端末の電話番号と対応付けて保存することがない。このため、受信側端末のユーザは、送信側端末に送信した応答メッセージを忘れる事態が発生し、その後の対応を誤ってしまうという恐れがある。
【０００４】
例えば、前回の着信時に会議中である旨の応答メッセージを送信して電話に出なかった相手へ、こちらから折り返し電話をかける場合を考える。この場合、先程電話に出れなかった理由を「会議中」と言えばよいが、「電車で移動中」と言ってしまうと相手に不信感を与えてしまうといった問題が生じる。よって、このような場合には、電話をかける前に、先程送信した応答メッセージが何であったかを思い出さなくてはならない。特に、先に相手から再び電話がかかってきた場合には、瞬時に応答メッセージを思い出さなくてはならない。
【０００５】
それ故に、本発明の目的は、電話の発着信時等に電話相手に対して前回送信した応答メッセージを出力してユーザに確認させることで、円滑な通話を可能にする携帯端末及び発着信履歴管理方法を提供することである。
【課題を解決するための手段】
【０００６】
本発明は、電話の発着信履歴を管理する携帯端末に向けられている。そして、上記目的を達成させるために、本発明の携帯端末は、検出部、情報取得部、履歴作成部、履歴記憶部、及び履歴通知部を備えている。
【０００７】
検出部は、他の携帯端末との間で生じた電話の発着信を検出する。情報取得部は、検出部による発着信の検出に応じて、発着信にかかわる付随情報を取得する。履歴作成部は、  情報取得部が取得した付随情報と、少なくとも発着信した電話番号とを関連付けた履歴情報を作成する。履歴記憶部は、履歴作成部で作成された履歴情報を記憶する。履歴通知部は、履歴記憶部に記憶されている履歴情報の電話番号へ／からの発着信に応じて、当該履歴情報に関連付けられた付随情報を利用者に通知する。
【０００８】
好ましい構成は、携帯端末の周囲状況又は状態に関する環境情報を入手可能なデバイス部をさらに備えて、情報取得部に、発着信時にデバイス部から入手した環境情報を、付随情報として取得させる。そして、履歴記憶部には、情報取得部が取得した環境情報を、発着信した電話番号と関連付けて記憶させる。典型的な環境情報は、携帯端末の周囲状況を捉えた静止画情報、動画情報、音声情報、携帯端末の状態を与える位置情報、視聴番組情報、又は開閉状態等である。
【０００９】
また、好ましい他の構成は、複数の応答メッセージを格納するメッセージ格納部をさらに備えて、情報取得部に、着信時に代替応答された応答メッセージを、付随情報としてメッセージ格納部から取得させる。そして、履歴記憶部には、情報取得部が取得した応答メッセージを、着信した電話番号と関連付けて記憶させる。
【００１０】
発展的には、履歴記憶部に、履歴情報の電話番号にリダイアル済みか否かを示す情報をさらに記憶させる。そして、履歴通知部には、電話の発着信時、リダイアルされていない電話番号の履歴情報のみについて応答メッセージを利用者に通知させる。又は、メッセージ格納部に、応答メッセージに関連してアラームを通知する時刻を特定するアラーム情報が格納されている場合には、履歴通知部に、アラーム情報で特定された通知時刻に達した履歴情報の応答メッセージを利用者に通知させる。この場合、リダイアルされていない電話番号だけを対象にしてもよい。
【００１１】
また、履歴記憶部に記憶される履歴情報が所定の最大数を超える場合には、リダイアルされた電話番号で発着信時刻が最も古い履歴情報を自動的に削除することが好ましく、リダイアルされていない電話番号に対応する履歴情報が削除対象となった場合には、利用者に削除確認のメッセージを出力するのが好ましい。
【００１２】
上述した携帯端末の各構成が行うそれぞれの処理は、一連の処理手順を与える発着信履歴管理方法として捉えることができる。この方法は、一連の処理手順をコンピュータに実行させるためのプログラムの形式で提供される。このプログラムは、コンピュータ読み取り可能な記録媒体に記録された形態で、コンピュータに導入されてもよい。また、上述した携帯端末を構成する機能ブロックは、集積回路であるＬＳＩとして実現されてもよい。
【発明の効果】
【００１３】
上記のように、本発明によれば、環境情報や応答メッセージを電話の発着信と結び付けて記憶する。これにより、ユーザは、電話を発着信した時の携帯端末の環境や、前回の電話着信の時にどの応答メッセージで対応したかを容易に確認することができる。従って、次回の通話時において前回の電話環境や応答メッセージを参考にして円滑な通話を行うことができる。また、応答メッセージに任意のアラームを設定して、リダイアルしていない場合にはアラーム通知時刻にユーザに通知する。さらに、リダイヤルしていない相手の着信履歴が自動削除されることを防止する。これにより、応答メッセージを送った相手に対してリダイヤルし忘れることを防止することができる。
【発明を実施するための最良の形態】
【００１４】
以下、本発明の実施の形態について、図面を用いて説明する。
本発明の携帯端末１０は、他の携帯端末との間で行った電話の発着信履歴を管理できる機能を備えた端末であり、代表的には図１に例示するような携帯電話である。図１において、携帯端末１０は、アンテナ１１、画面１２、スピーカ１３、マイク１４、ボタン群１５、撮像部１６等を備えている。
【００１５】
アンテナ１１は、空間を伝搬してくる電気信号を受信したり、空間に電気信号を送出したりする。画面１２は、画像を表示する。スピーカ１３は、主として電話相手が話した内容を音声で出力する。マイク１４は、主としてユーザＡが話した内容を音声信号に変換する。ボタン群１５は、ユーザＡの手で操作されるいくつかのボタンを含む。例えば、電話番号を入力するためのボタン１５１、着信時に所定の応答メッセージを送出する処理を行うための応答メッセージボタン１５２、及び発着信履歴を画面１２に表示するための発着信履歴ボタン１５３等である。各ボタンの配置や機能は、図１に示すものに限られない。撮像部１６は、例えばカメラであり、携帯端末１０の周囲の光景をデジタル画像情報として取り込む。本実施形態は、撮像部１６が携帯端末１０の背面側（一点鎖線内で示す）に設置されている例を示している。
【００１６】
図２は、本発明の携帯端末１０を実現するための典型的なハードウエア構成を例示した図である。図２に示すように、携帯端末１０は、端末全体の制御を司るＣＰＵ２１、記憶部として機能するＲＯＭ２２及びＲＡＭ２３、スピーカ１３及びマイク１４に接続される音声処理部２４、画面１２への表示を行う表示部２５、アンテナ１１を介して通信を行う無線通信部２６、ボタン群１５を有するボタン入力部２７、撮像部１６に接続される画像処理部２８、現在位置を測定する測位部２９、及び現在時刻を計時するタイマ３０等で構成され、互いに接続されている。マイク１４、撮像部１６及び測位部２９等は、携帯端末１０の周囲状況又は状態に関する環境を入手できるデバイスに相当する。
【００１７】
ＲＯＭ２２内には、サービスを提供するためのソフトフェアプログラムが格納されている。ＣＰＵ２１は、ＲＯＭ２２内に格納されているプログラムを実行し、発生するデータの書き込み又は修正をＲＡＭ２３に対して行う。また、このプログラムの実行に伴い、ＣＰＵ２１は、ユーザＡに対して、音声処理部２４を通じてスピーカ１３から音声を出力し、表示部２５を通じて画面１２へ画像を出力する。また、ＣＰＵ２１は、ボタン入力部２７に接続されたボタン群１５からユーザＡのキー入力を受け付ける。さらに、ＣＰＵ２１は、無線通信部２６に接続されたアンテナ１１を介して通信を行い、サービスに必要なデータを受信又は送信する。
【００１８】
測位部２９は、電波航法及び／又は自律航法によって、携帯端末１０の現在位置を導出する。このような測位部２９の典型例としては、ＧＰＳ（Ｇｌｏｂａｌ  Ｐｏｓｉｔｉｏｎｉｎｇ  Ｓｙｓｔｅｍ）レシーバがある。ＧＰＳレシーバは、ＧＰＳに収容される人工衛星から送られてくる情報に基づいて、携帯端末１０の現在位置を導出する。ここで、現在位置は、典型的には緯度座標及び経度座標を使って表される。なお、この測位部２９は、例えばＰＨＳ（Ｐｅｒｓｏｎａｌ  Ｈａｎｄｙ−ｐｈｏｎｅ  Ｓｙｓｔｅｍ）の基地局から送られてくる情報に基づいて現在位置を導出する構成に代えることも可能である。また、測位部２９は、例えば近距離無線通信（ｂｌｕｅｔｏｏｔｈ、無線ＬＡＮ等）のサーバから送られてくる情報（ＩＰアドレスやネットワーク名）に基づいて現在位置を導出する構成に代えることも可能である。さらに、測位部２９は、例えば非接触通信のゲートから取得可能な情報（携帯端末１０が現在居るサービス空間の情報）に基づいて現在位置を導出する構成に代えることも可能である。なお、本実施形態では、測位部２９は、携帯端末１０に内蔵されるとして説明するが、これに限らず携帯端末１０に対して着脱自在なモジュールであっても構わない。
【００１９】
以上、本発明の携帯端末１０をハードウェア構成で説明した。次に、このハードウエア構成の少なくとも一部を利用して、本発明の携帯端末１０が行う特徴的な発着信履歴管理方法を、ソフトウェア構成の観点から説明する。以下、発着信履歴として管理する付随情報のタイプ及びこの付随情報の利用方法について、４つの実施形態を説明する。
【００２０】
（第１の実施形態）
図３は、本発明の第１の実施形態に係る発着信履歴管理方法を用いた携帯端末１０のソフトウエア構成を説明する図である。図２のＲＯＭ２２に格納されているプログラムは、ＣＰＵ２１に読み取られることによって、発着信検出部３１、情報取得部３２、発着信履歴作成部３３、発着信履歴記憶部３４、及び発着信履歴通知部３５としての機能を実現する。図４は、本発明の第１の実施形態に係る発着信履歴管理方法の処理手順を説明するフローチャートである。
【００２１】
発着信検出部３１は、携帯端末１０からの電話発信及び携帯端末１０への電話着信を検出する（ステップＳ４１）。電話の発着信を検出すると、発着信検出部３１は、その電話の番号（又は所有者名）及びその電話の発着信時刻を取得する（ステップＳ４２）。情報取得部３２は、発着信検出部３１で発着信が検出されたことに応じて、この検出に関連する付随情報を取得する（ステップＳ４４）。この第１の実施形態で説明する付随情報とは、検出時に携帯端末１０がどのような状況及び状態にあったのかを特定するための環境情報であり、典型的には次の情報が考えられる。
【００２２】
まず、携帯端末１０の周囲の光景を静止画又は動画で撮影した画像情報である。この画像情報は、撮像部１６を用いて取得することができる。次に、携帯端末１０の周囲の音声及び音響を記録した音情報である。この音情報は、マイク１４を用いて取得することができる。また、携帯端末１０の現在位置を特定した位置情報である。この位置情報は、測位部２９を用いて取得することができる。さらに、携帯端末１０が、ＴＶチューナを内蔵している機種であれば、視聴しているチャンネルの情報でもよい。また、携帯端末１０が、折りたたみ、回転、スライド、又はその組み合わせの動作を伴う機種であれば、折りたたみ状態、回転状態、スライド状態等に関する情報（開閉状態情報）であってもよい。情報取得部３２が取得する情報は、これらの情報のいずれか１つだけであってもよいし、２つ以上の組み合わせであってもよい。
【００２３】
発着信履歴作成部３３は、情報取得部３２で取得された環境情報と、発着信検出部３１で検出された電話番号及び発着信時刻とを、関連付けた履歴情報を作成する（ステップＳ４５）。そして、発着信履歴作成部３３は、作成した履歴情報を発着信履歴記憶部３４に記憶する（ステップＳ４６）。図５は、発着信履歴記憶部３４に記憶される発信履歴情報の一例を示す図である。図５のデータ５１では、２００４年７月７日１８時半に０９０−ＸＸＸＸ−ＸＸＸＸ（所有者：ＳＵＧＩ）へ発信した時の環境情報として、静止画像情報（ＡＢＣ．ＪＰＧ）及び位置情報（西経３５度、北緯１３５度）が記憶されていることを示している。なお、図示しないが着信履歴情報についても発信履歴情報と同様に記憶される。なお、環境情報を関連付けない場合でも、着信電話番号と着信時刻とが着信履歴として記憶されることは周知の通りである。
【００２４】
こうして記憶された履歴情報は、例えば次のように利用される。発着信検出部３１において、携帯端末１０による電話の発着信が検出されて電話番号（又は所有者名）が取得されると（ステップＳ４１、Ｓ４２）、発着信履歴通知部３５は、この電話番号に対応した履歴情報が発着信履歴記憶部３４にすでに記憶されているか否かを確認する（ステップＳ４３）。確認の結果、履歴情報が記憶されている場合には、発着信履歴通知部３５は、発着信履歴記憶部３４からその履歴情報を読み出して画面１２に表示し、履歴情報の内容をユーザに通知する（ステップＳ４７、Ｓ４８）。なお、環境情報が音情報であれば、スピーカ１３を介して通知されることになる。
【００２５】
以上のように、本発明の第１の実施形態に係る発着信履歴管理方法によれば、環境情報を電話の発着信と結び付けて記憶する。これにより、ユーザは、電話を発着信した時の携帯端末の環境がわかるので、例えば、電話の発着信時にどのサーバと通信していたかや、どのサービス空間に居たか等を容易に確認することができる。また、次回に同一の電話番号に発信する際に、前回はどんな環境で電話をしていたか等の参考にすることができる。
【００２６】
なお、電話番号は、通信相手及び通信相手の所有する携帯端末を特定するＩＤとして利用されるものであり、同様の目的であれば、電話番号とは別のＩＤを利用しても構わない。例えば、メールアドレス、ＩＰアドレス又はＭＡＣアドレス等が利用可能である。
【００２７】
（第２の実施形態）
図６は、本発明の第２の実施形態に係る発着信履歴管理方法を用いた携帯端末のソフトウエア構成を説明する図である。図２のＲＯＭ２２に格納されているプログラムは、ＣＰＵ２１に読み取られることによって、発着信検出部６１、情報取得部６２、着信履歴作成部６３、着信履歴記憶部６４、着信履歴通知部６５、及び応答メッセージ格納部６６としての機能を実現する。図７は、本発明の第２の実施形態に係る発着信履歴管理方法の処理手順を説明するフローチャートである。
【００２８】
発着信検出部６１は、携帯端末１０への電話着信を検出する（ステップＳ７１）。電話の着信を検出すると、発着信検出部６１は、その電話の番号（又は所有者名）及びその電話の着信時刻を取得する（ステップＳ７２）。情報取得部６２は、発着信検出部６１で着信が検出されたことに応じて、この検出に関連する付随情報を取得する（ステップＳ７５）。この第２の実施形態で説明する付随情報とは、着信した電話に対して代替応答した応答メッセージを特定するための情報である。この応答メッセージは、例えば図８に示すような内容の音声であり、ユーザＡによって応答メッセージ格納部６６に予め格納されている。応答メッセージで対応する場合には、応答メッセージボタン１５２の押下に応じて図８に示す応答メッセージの選択画面が画面１２に表示され、その中から１つの応答メッセージが選択される。なお、マナーモード中に着信があった場合は、自動的に応答メッセージの選択画面が表示されるようにしてもよい。
【００２９】
応答メッセージを取得するにあたり、情報取得部６２は、発着信検出部６１で検出された着信に対して、所定の応答メッセージを流して電話対応されたかどうかを判断する（ステップＳ７４）。ここで、情報取得部６２は、応答メッセージを流して電話対応されたと判断した場合、その応答メッセージのＩＤを応答メッセージ格納部６６から取得する（ステップＳ７５）。
【００３０】
着信履歴作成部６３は、情報取得部６２で取得された応答メッセージのＩＤと、発着信検出部６１で検出された電話番号及び着信時刻とを、関連付けた履歴情報を作成する（ステップＳ７６）。そして、着信履歴作成部６３は、作成した履歴情報を着信履歴記憶部６４に記憶する（ステップＳ７７）。図９は、着信履歴記憶部６４に記憶される着信履歴情報の一例を示す図である。図９のデータ９１では、２００４年７月７日１８時半に０９０−ＸＸＸＸ−ＸＸＸＸ（所有者：ＳＵＧＩ）から着信した電話に対して、「１５時まで定例会議です」という応答メッセージで対応したことを示している。この着信履歴情報には、着信電話番号に折り返し電話をかけたか否かを示すリダイヤルフラグ９２が設けられている。また、リダイヤルフラグ９２は、着信相手から再度着信があった場合にリダイヤル済みとして設定してもよい。なお、応答メッセージで対応しない場合でも、着信電話番号と着信時刻とが着信履歴として記憶されることは周知の通りである。
【００３１】
こうして記憶された履歴情報は、例えば着信時に次のように利用される。発着信検出部６１において、携帯端末１０による電話の着信が検出されて電話番号（又は所有者名）が取得されると（ステップＳ７１、Ｓ７２）、着信履歴通知部６５は、この電話番号に対応した履歴情報が着信履歴記憶部６４にすでに記憶されているか否かを確認する（ステップＳ７３）。確認の結果、履歴情報が記憶されている場合には、着信履歴通知部６５は、着信履歴記憶部６４からその履歴情報を読み出して、画面１２やスピーカ１３等を介してユーザに情報内容を通知する（ステップＳ７８、Ｓ８２）。ここで、着信履歴通知部６５は、応答メッセージが対応付けられており（ステップＳ７９、Ｙｅｓ）、かつリダイヤルフラグが「０」である（ステップＳ８０、Ｙｅｓ）場合には、その応答メッセージを応答メッセージ格納部６６から取得して画面１２等を介してユーザに通知する（ステップＳ８１、Ｓ８２）。図１０は、画面１２に表示されることで通知される内容の一例である。図１０は、前回の着信時に「通勤中。電車の中です」との応答メッセージを流し、通話していない相手（電話番号「０９０−ＸＸＸＸ−ＸＸＸＸ」）から再度電話がかかってきた場合の、画面表示例である。なお、応答メッセージを文字で画面表示する代わりに、又は画面表示すると共に応答メッセージの内容を音声で再生するようにしてもよい。
【００３２】
また、着信履歴を参照して、応答メッセージで対応した相手へこちらから電話発信する場合についても、例えば次のように利用される。図１１は、本発明の第２の実施形態に係る発着信履歴管理方法の処理手順を説明する他のフローチャートである。
【００３３】
電話をかけたいユーザは、発着信履歴ボタン１５３を押下げて、図１２に示す着信履歴一覧を画面１２に表示させる（ステップＳ１１１、Ｓ１１２）。ユーザによって１つの着信履歴が選択されると、着信履歴通知部６５は、着信履歴記憶部６４からその着信履歴の履歴情報を読み出して画面１２に表示させ、ユーザに履歴情報の内容を通知する（ステップＳ１１３、Ｓ１１７）。このとき、着信履歴通知部６５は、応答メッセージが対応付けられており（ステップＳ１１４、Ｙｅｓ）、かつリダイヤルフラグが「０」である（ステップＳ１１５、Ｙｅｓ）場合には、その応答メッセージを応答メッセージ格納部６６から取得して画面１２に表示させる（ステップＳ１１６、Ｓ１１７）。そして、着信履歴作成部６３は、着信履歴の内容を確認したユーザによって引き続いて電話がかけられる場合には（ステップＳ１１８、Ｙｅｓ）、リダイヤルフラグに「１」をセットした後（ステップＳ１１９）、通話処理を実行する（ステップＳ１２０）。
【００３４】
以上のように、本発明の第２の実施形態に係る発着信履歴管理方法によれば、応答メッセージを電話着信と結び付けて記憶する。これにより、ユーザは、前回の電話着信の時にどの応答メッセージで対応したかを容易に確認することができるため、次回の通話時において誤った応対をしてしまうことを事前に防止でき、円滑な通話を行うことができる。
【００３５】
（第３の実施形態）
本発明の第３の実施形態は、上記第２の実施形態の応答メッセージにアラーム通知情報を付加したものである。第３の実施形態に係る発着信履歴管理方法が行う着信検出から履歴情報記憶までの処理は、基本的に上記第２の実施形態に係る発着信履歴管理方法と同様であり、アラーム通知処理に関する部分だけが異なる。よって、同一構成及び同一処理ステップには同じ参照符号を付して説明を省略し、異なる部分を中心に以下説明を行う。
【００３６】
図１３は、本発明の第３の実施形態に係る発着信履歴管理方法を用いた携帯端末のソフトウエア構成を説明する図である。図２のＲＯＭ２２に格納されているプログラムは、ＣＰＵ２１に読み取られることによって、発着信検出部６１、情報取得部６２、着信履歴作成部６３、着信履歴記憶部６４、着信履歴通知部６５、応答メッセージ格納部１３６、タイマ管理部１３７、及びアラーム通知部１３８としての機能を実現する。図１５は、本発明の第３の実施形態に係る発着信履歴管理方法の処理手順を説明するフローチャートである。
【００３７】
応答メッセージ格納部１３６には、応答メッセージの内容と共に、アラーム通知日、アラーム通知時刻及びアラーム通知方法から構成されるアラーム通知情報が、予め対応付けて設定されている（図１４）。図１４の例では、応答メッセージデータ１４１には、応答メッセージ「すぐに掛けなおします。」に関連付けて、アラーム通知時刻「５分後（応答の５分後にアラームを通知）」と、アラーム通知方法「効果音２及びアニメーションを表示」とが設定されている。また、応答メッセージデータ１４３には、応答メッセージ「１５時まで定例会議です。」に関連付けて、アラーム通知日「２００４年７月１１日」と、アラーム通知時刻「１５：３０」と、アラーム通知方法「メロディ５」とが設定されている。また、応答メッセージデータ１４４には、応答メッセージ「通勤中。電車の中です。」に関連付けて、アラーム通知時刻「８：４０」と、アラーム通知方法「バイブ１」とが設定されている。
【００３８】
タイマ管理部１３７は、着信履歴作成部６３において着信履歴情報が作成されると、履歴内にあるアラーム通知情報を確認し（ステップＳ１５１）、その情報に基づいてアラームを設定する（ステップＳ１５２）。その後、タイマ管理部１３７は、タイマの計時を開始する（ステップＳ１５３）。タイマ管理部１３７は、アラーム通知日かつアラーム通知時刻に達してタイマがタイムアウトになった場合、アラーム通知部１３８にその旨を通知する（ステップＳ１５４）。
【００３９】
この通知を受けたアラーム通知部１３８は、着信履歴記憶部６４を参照して、アラーム通知時刻がタイムアウトした着信履歴のリダイアルフラグを確認する（ステップＳ１５５）。そして、リダイアルフラグが「０」の場合、アラーム通知部１３８は、着信履歴通知部６５に対してアラーム通知方法に従った方法で通知を行うことを指示する（ステップＳ１５６）。図１６は、アラーム通知部１３８の指示に応じて、着信履歴通知部６５が行った画面表示の一例を示す図である。図１６は、以前に「通勤中。電車の中です。」という応答メッセージで対応した相手（電話番号「０９０−ＸＸＸＸ−ＸＸＸＸ」）に、アラームで設定されている時刻「８：４０」までにリダイアルしていないため、「電話をかける」という応答メッセージアラームが表示された例である。
【００４０】
以上のように、本発明の第３の実施形態に係る発着信履歴管理方法によれば、応答メッセージに任意のアラームを設定して記憶する。そして、アラーム設定のある着信履歴については、リダイアルしていない場合にアラーム通知時刻に達すると自動的に履歴内容が出力される。これにより、応答メッセージを送った相手に対してリダイヤルし忘れることを防止することができる。
【００４１】
（第４の実施形態）
通常、発着信履歴情報を記憶できる最大数は限られており、この最大数を超える場合には、発着信時刻が古い履歴情報から順に削除されるのが一般的である。このため、履歴情報の内容を確認することなく削除されてしまう事態も起こり得る。
そこで、本発明の第４の実施形態では、上記第２及び第３の実施形態のリダイアルフラグを利用して履歴削除を行う発着信履歴管理方法を説明する。なお、リダイアルフラグの設定手法等は、上述した各実施形態に準ずる。
【００４２】
図１７は、本発明の第４の実施形態に係る発着信履歴管理方法を用いた携帯端末のソフトウエア構成を説明する図である。図２のＲＯＭ２２に格納されているプログラムは、ＣＰＵ２１に読み取られることによって、発着信検出部３１、情報取得部３２、発着信履歴作成部３３、発着信履歴記憶部３４、及び発着信履歴通知部１７５としての機能を実現する。上記各の実施形態の構成と同一の参照符号を付した構成は、同一の処理を行うので説明を省略する。また、以下の実施例では、電話着信の場合で説明するが、電話発信の場合でも同様の処理が行われる。図１８は、本発明の第４の実施形態に係る発着信履歴管理方法の処理手順を説明するフローチャートである。
【００４３】
新たな電話の着信を受けて着信履歴情報を記憶できる最大数を超えた場合（ステップＳ１８１、Ｓ１８２）、発着信履歴通知部１７５は、着信時刻が最も古い着信履歴情報を選択する（ステップＳ１８３）。そして、発着信履歴通知部１７５は、選択した着信履歴情報のリダイアルフラグが「１」であるかを確認する（ステップＳ１８４）。確認の結果、リダイアルフラグが「１」である場合には、発着信履歴通知部１７５は、選択されている着信履歴情報を削除して処理を終了する（ステップＳ１９０）。一方、リダイアルフラグが「０」である場合には、発着信履歴通知部１７５は、削除する着信履歴情報を選択するのか否かをユーザに問い合わせる（ステップＳ１８５）。ここで、ユーザが削除する着信履歴情報を選択しない場合には、発着信履歴通知部１７５は、着信時刻が次に古い着信履歴情報を選択して（ステップＳ１８６）、ステップＳ１８４以降の処理を繰り返す。
【００４４】
ユーザが削除する着信履歴情報を選択する場合には、発着信履歴通知部１７５は、記憶している全ての着信履歴情を画面１２に表示してユーザに選択を促す（ステップＳ１８７）。そして、発着信履歴通知部１７５は、ユーザによって削除する着信履歴情報が選択されると、選択された着信履歴情報のリダイアルフラグが「１」であるかを確認する（ステップＳ１８８、Ｓ１８９）。ここで、リダイアルフラグが「０」である場合、発着信履歴通知部１７５は、本当に削除してもよいかを確認すると共に、必要で有れば再選択を促す。選択された着信履歴情報の削除の確認をユーザから受けると、発着信履歴通知部１７５は、この着信履歴情報を削除して処理を終了する（ステップＳ１９０）。図１９は、ステップＳ１８７〜Ｓ１９０までの処理によって画面１２に表示される画面例を示した図である。
【００４５】
以上のように、本発明の第４の実施形態に係る発着信履歴管理方法によれば、リダイヤルしていない相手の着信履歴が自動削除されることを防止して、その着信履歴を保護することができる。
【００４６】
なお、本発明の携帯端末における発着信検出部３１、情報取得部３２、発着信履歴作成部３３及び発着信履歴通知部３５の各機能ブロックは、典型的には集積回路であるＬＳＩ（集積度の違いにより、ＩＣ、システムＬＳＩ、スーパーＬＳＩ、又はウルトラＬＳＩ等と称される）として実現される（図３を参照）。これらは、個別に１チップ化されてもよいし、一部又は全部を含むように１チップ化されてもよい。
また、集積回路化の手法は、ＬＳＩに限るものではなく、専用回路又は汎用プロセッサで実現してもよい。また、ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
さらには、半導体技術の進歩又は派生する別の技術により、ＬＳＩに置き換わる集積回路化の技術が登場すれば、当然その技術を用いて機能ブロックの集積化を行ってもよい。バイオ技術の適応等が可能性としてあり得る。
【００４７】
また、本発明の発着信履歴管理方法は、記憶装置（ＲＯＭ、ＲＡＭ、ハードディスク等）に格納された上述した処理手順を実行可能な所定のプログラムデータが、ＣＰＵによって解釈実行されることで実現されてもよい。この場合、プログラムデータは、ＣＤ−ＲＯＭやフレキシブルディスク等の記録媒体を介して記憶装置内に導入されてもよいし、記録媒体上から直接実行されてもよい。
【産業上の利用可能性】
【００４８】
本発明の携帯端末及び発着信履歴管理方法は、他の携帯端末との間で行った電話の発着信履歴を管理する場合等に利用可能であり、特に前回の発着信に付随する情報を参照して次回の発着信時に円滑な通話を行いたい場合等に有用である。
【図面の簡単な説明】
【００４９】
【図１】本発明の携帯端末１０の一例を示す携帯電話の外観図
【図２】本発明の携帯端末１０を実現するための典型的なハードウエア構成を例示した図
【図３】本発明の第１の実施形態に係る発着信履歴管理方法を用いた携帯端末１０のソフトウエア構成を説明する図
【図４】本発明の第１の実施形態に係る発着信履歴管理方法の処理手順を説明するフローチャート
【図５】発着信履歴記憶部３４に記憶される発信履歴情報の一例を示す図
【図６】本発明の第２の実施形態に係る発着信履歴管理方法を用いた携帯端末のソフトウエア構成を説明する図
【図７】本発明の第２の実施形態に係る発着信履歴管理方法の処理手順を説明するフローチャート
【図８】応答メッセージの一例を示す図
【図９】着信履歴記憶部６４に記憶される着信履歴情報の一例を示す図
【図１０】画面１２に表示される履歴情報の一例を示す図
【図１１】本発明の第２の実施形態に係る発着信履歴管理方法の処理手順を説明する他のフローチャート
【図１２】画面１２に着信履歴情報が一覧表示された一例を示す図
【図１３】本発明の第３の実施形態に係る発着信履歴管理方法を用いた携帯端末のソフトウエア構成を説明する図
【図１４】応答メッセージとアラーム通知情報との関係の一例を示す図
【図１５】本発明の第３の実施形態に係る発着信履歴管理方法の処理手順を説明するフローチャート
【図１６】画面１２に表示されるアラーム情報通知の一例を示す図
【図１７】本発明の第４の実施形態に係る発着信履歴管理方法を用いた携帯端末のソフトウエア構成を説明する図
【図１８】本発明の第４の実施形態に係る発着信履歴管理方法の処理手順を説明するフローチャート
【図１９】画面１２に表示される履歴削除処理の一例を示す図
【図１】
2007529159.tif 000003
【図２】
2007529159.tif 000004
【図３】
2007529159.tif 000005
【図４】
2007529159.tif 000006
【図５】
2007529159.tif 000007
【図６】
2007529159.tif 000008
【図７】
2007529159.tif 000009
【図８】
2007529159.tif 000010
【図９】
2007529159.tif 000011
【図１０】
2007529159.tif 000012
【図１１】
2007529159.tif 000013
【図１２】
2007529159.tif 000014
【図１３】
2007529159.tif 000015
【図１４】
2007529159.tif 000016
【図１５】
2007529159.tif 000017
【図１６】
2007529159.tif 000018
【図１７】
2007529159.tif 000019
【図１８】
2007529159.tif 000020
【図１９】
2007529159.tif 000021
【国際調査報告】
2007529159.tif 000022
2007529159.tif 000023